(57)【要約】      （修正有）【課題】敷設する場所の形状と坪数に合わせて敷設することができる連結マット型を提供する。【解決手段】矩形の外周縁部にあり溝状の第１凹部１１と、該第１凹部から所定の距離を置いて斜めに切欠き、一方の側辺が傾斜して形成される第２凹部１３と、該第２凹に隣接して形成される鳩尾状の凸部１２とを連続して形成し、連結型マット１０を構成する。該第１凹部から第２凹部に至る所定の距離は５の倍数とする。【選択図】図３
0003101012.tif 000002
【実用新案登録請求の範囲】
【請求項１】
矩形の外周縁部にあり溝状の第１凹部と、該第１凹部から所定の距離を置いて斜めに切欠き、一方の側辺が傾斜して形成される第２凹部と、該第２凹部に隣接して形成される鳩尾状の凸部とが連続して形成され、かつ該所定の距離が５の倍数であることを特徴とする連結型マット。
【考案の詳細な説明】
【技術分野】
【０００１】
この考案は、マットに関し、特に複数のマットを連結して床などに敷設する連結型マットに関する。
【背景技術】
【０００２】
従来の連結型マットを図６に開示する。図面によれば、現在、市場などで販売されている連結型マット（５０）は、外周縁部にあり溝状の凹部（５１）、鳩尾状の凸部（５２）とを交互に連続して形成してなり、かかる構成の複数の連結型マット（５０）のそれぞれの凸部（５２）と凹部（５１）とを嵌合して連結し、一定の坪数にして床などに敷設する。
【０００３】
該連結型マット（５０）は、連結して床に敷設した場合、子供や老人などが転倒したりして傷害を受けることを防ぐ効果を有するが、従来の連結型マット（５０）は、使用者が複数の連結型マット（５０）を連結して敷設する場合、正方形でサイズが固定されているため、敷設する場所の状況に応じ連結して敷設することができない。
【０００４】
また、図５に開示するように、従来の連結型マット（５０）は柱（６０）などを避けて敷設することができない場合がある。この場合、部屋の状況に合わず角を曲げたり、折ったりしなければならない。よって、多くの使用者は図６に開示するように、連結型マット（５０）を部屋の隅まできっちり敷設するために、余剰の部分を切断して敷設する。よって、従来の連結型マット（５０）は、連結して組み合わせる場合に不便であるとともに、一部の連結型マット（５０）を不完全なものにする。このため、使用者が連結型マット（５０）を取り外した場合、一部を切断した連結型マット（５０）は、再度使用することができず、廃棄せざるを得なくなり、不経済で実用的でない。
【考案の開示】
【考案が解決しようとする課題】
【０００５】
本考案が解決しようとする課題は、曲げたり、折ったり、切断することなく、敷設する場所の形状と坪数に合わせて敷設することができる連結型マットを提供することにある。
【課題を解決するための手段】
【０００６】
そこで本考案者は、従来の技術に見られる欠点に鑑み、鋭意研究を重ねた結果、矩形の外周縁部にあり溝状の第１凹部と、該第１凹部から所定の距離を置いて斜めに切欠き、一方の側辺が傾斜して形成される第２凹部と、該第２凹に隣接して形成される鳩尾状の凸部とが連続して形成され、かつ該所定の距離が５の倍数である連続型マットの構造によって課題を解決できる点に着眼し、かかる知見に基づき本考案を完成させた。
【０００７】
以下この考案について具体的に説明する。
請求項１に記載する連結型マットは、矩形の外周縁部にあり溝状の第１凹部と、該第１凹部から所定の距離を置いて斜めに切欠き、一方の側辺が傾斜して形成される第２凹部と、該第２凹に隣接して形成される鳩尾状の凸部とが連続して形成され、かつ該所定の距離が５の倍数である。
【考案の効果】
【０００８】
本考案の連結型マットは、大きさの異なる補助マットを組み合わせることができるため、マットの一部を切断したり、折り曲げたりすることなく敷設する場所の形状と坪数に合わせて敷設することができるとともに、個々の連結型マットの再使用が可能で経済的である。
【考案を実施するための最良の形態】
【０００９】
この考案は複数のマットを連結して床などに敷設する連結型マットを提供するものであって、矩形の外周縁部にあり溝状の第１凹部と、該第１凹部から所定の距離を置いて斜めに切欠き、一方の側辺が傾斜して形成される第２凹部と、該第２凹に隣接して形成される鳩尾状の凸部とを連続して形成し、かつ該所定の距離を５の倍数として構成する連結型マットの構造によって、敷設する場所の形状と坪数に合わせて組み合わせることができるという目的を実現した。
かかる連結型マットの構造と特徴を詳述するために、具体的な実施例を挙げ、図示を参照にして以下に説明する。
【実施例１】
【００１０】
図１から３に開示するように、この考案による連結型マット（１０）は矩形を呈し、矩形の外周縁にあり溝状の第１凹部（１１）と、該第１凹部（１１）から所定の距離を置いて斜めに切欠き、一方の側辺が傾斜して形成される第２凹部（１２）と、該第２凹部に隣接して形成される鳩尾状の凸部（１２）とを連続して形成する。かかる構成の連結型マット（１０）を複数連結する場合、それぞれの連結型マット（１０）の第１凹部（１１）と凸部（１２）とを互いに嵌合させて所定の坪数にして床などに敷設する。
【００１１】
該第１凹部（１１）と凸部（１２）との間に形成される第２凹部（１３）は斜めに切り欠いて一方の側辺を傾斜側辺（１３１）とするとともに、第１凹部（１１）から第２凹部（１３）まで所定の距離を置き、該所定の距離が５の倍数の長さになるように形成する。また、凸部（１２）は第２凹部（１３）に隣接して形成する。
【００１２】
上述の構造による連結型マット（１０）は、図３に開示するように第１凹部（１１）、第２凹部（１３）と、凸部（１２）とによって連続した凹凸が形成される外周縁を互いに嵌合して連結し、敷設する場所の形状に応じて所定の坪数にし、床などに敷設する。即ち、敷設する場所の全体的な状況に合わせて組み合わせることができ、極めて便利で実用的である。
【００１３】
図４に開示するように、この考案においては異なる大きさの補助マット（３０）を利用して連結型マット（１０）と組み合わせることができる。補助マット（３０）は、例えば正方形か、それぞれ長さの異なる長方形などの矩形を呈するか、もしくは外周縁を円弧状に形成してもよく、また、少なくとも一以上の側辺に第１凹部（１１）と、第２凹部（１３）と、凸部（１２）とによってなる連続した凹凸を形成しない補助マット（３０）を以ってマット全体の端縁部としてもよい。更に、補助マット（３０）を連結型マット（１０）と異なる色彩にした場合、使用上の便利さ以外に、色彩の組み合わせによる美観が得られる。
【００１４】
上述の通り、この考案による連結型マット（１０）は、第１凹部（１１）から所定の距離をおいて傾斜側辺（１３１）を有する第２凹部（１３）を形成する。第１凹部（１１）から第２凹部（１３）までの距離は５の倍数（５CM、１０CM、１５CM、２０CMなど）とする。よって、連結型マット（１０）を連結して必要とする形状と坪数になるように組み合わせ敷設する場合、全体的な組み合わせが容易である。また、補助マット（３０）を利用することによって敷設する場所に柱などが存在する場合、敷設する形状に合わせて連結型マット（１０）と補助マット（３０）とを組み合わせることができる。よって、従来の技術に見られるように連結型マット（１０）の一部を折り曲げたり、切断したりして敷設する場所の形状に合わせる必要がない。
【００１５】
また、この考案による連結型マット（１０）は、床などに敷設する目的以外に、例えば学習用教材などに応用することができる。図５は、連結型マット（１０）の表面に適当な図案や文字を表示して学習用の教材とした一例である。この他、壁面などに連結型マット（１０）を連結して貼着してもよい（図示しない）。すなわち、この考案による連結型マット（１０）は極めて広い応用範囲を有し、実用的である。
【００１６】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００１７】
【図１】この考案による連結型マットの斜視図である。
【図２】図１に開示する連結型マットの平面図である。
【図３】この考案による連結型マットの組み合わせ方法の説明図である。
【図４】この考案による連結型マットの使用態様を示した説明図である。
【図５】この考案による連結型マットの他の使用態様を示した説明図である。
【図６】従来の連結型マットの使用例を示した説明図である。
【符号の説明】
【００１８】
１０  連結型マット
１１  第１凹部
１２  凸部
１３  第２凹部
１３１  傾斜側辺
２０  柱
３０  補助マット
５０  連結型マット
５１  凹部
５２  凸部
６０  柱
【図１】
0003101012.tif 000003
【図２】
0003101012.tif 000004
【図３】
0003101012.tif 000005
【図４】
0003101012.tif 000006
【図５】
0003101012.tif 000007
【図６】
0003101012.tif 000008